(57)【特許請求の範囲】
【請求項１】
通信回線に夫々接続され、通信回線から伝送された符号化音声を復号化して出力する３以上の端末を備え、何れか２つの端末での双方向通話を他の端末で傍受可能な音声通信システムにおいて、
双方向通話の一方の端末は、自端末の入力音声を符号化する音声符号化手段と、自端末入力音声符号と通信回線から入力する双方向通話の他方の端末からの音声符号の何れか一方を、自端末の入力音声に基づく信号の振幅と双方向通話の他方の端末からの音声符号に基づく信号の振幅とを用いた選択基準に基づいて、一定時間のフレーム毎に選択して通信回線に伝送する選択手段を備え、
双方向通話の他方の端末は、自端末の入力音声を符号化し、通信回線に伝送する音声符号化手段と、過去の自端末の入力音声符号を所定フレーム分記憶する記憶手段と、通信回線から入力した音声符号と、記憶手段の入力音声符号の内の少なくとも一つとの比較を行い、通信回路から入力した音声符号が過去の自端末の入力音声符号であるか否かを判定する判定手段と、この判定結果が過去の自端末の入力音声符号ではないときは通信回線から入力した音声符号を復号化し、過去の自端末の入力音声符号であるときは通信回線から入力した音声符号を復号化しない音声復号化手段を備え、
双方向通話端末以外の端末は、通信回線から入力した音声符号を復号化する音声復号化手段を備えた音声通信システム。
【請求項２】
前記相互通話の一方の端末に設けられた選択手段は、自端末入力音声と、他端末音声符号を復号化して得られた出力の振幅を比較し、振幅が大きい方の音声符号を選択する構成にした請求項１記載の音声通信システム。
【発明の詳細な説明】
【０００１】
【発明の属する技術分野】
この発明は，複数の端末間で回線を共有して、２つの端末間の通話を他の端末でも傍受することが可能な音声通信システムに関する。業務通信などにおいて、業務連絡通話を、関連する他のメンバーがモニターする場合などに用いられる。
【０００２】
【従来の技術】
このような従来の音声通信システムとしては、アナログ音声信号上で２つの音声を重畳して、この重畳した信号を一方の回線にて送信するものがある。例えば、話者Ａと話者Ｂの間で通話を行う際に、話者Ａ側の端末Ａの所で、受信した話者Ｂの音声信号を話者Ａの音声信号に重畳し、重畳した音声信号を話者Ｂ側の端末Ｂと、他の端末へ送信する方法を用いたものがある。
【０００３】
図３は、従来の音声通信システムの全体構成を示すものである。
図において、１は話者Ａが使用する端末Ａ、２は話者Ｂが使用する端末Ｂ、３は関連する他のメンバーがモニターする場合などに用いられる端末Ｃである。
【０００４】
端末Ａには端末Ｂからの変調信号Ｂを復調し出力音声Ａとするアナログ復調手段４、話者Ａが発声した入力音声Ａと上記出力音声Ａを重畳して重畳音声を生成する音声重畳手段５、重畳音声を変調するアナログ変調手段６が設けられている。
【０００５】
端末Ｂには話者Ｂが発声した入力音声Ｂを変調するアナログ変調手段７、端末Ａからの変調信号Ａを復調するアナログ復調手段８が設けられている。
さらに、端末Ｃには端末Ａからの変調信号Ａを復調するアナログ復調手段９が設けられている。
【０００６】
なお、１０は端末Ａからの変調信号Ａを伝送する回線Ａ、１１は端末Ｂからの変調信号Ｂを伝送する回線Ｂである。
以下、図に基づいて、この従来の音声通信システムの動作について説明する。
【０００７】
端末Ａには、話者Ａが発声した音声が入力音声Ａとして入力される。また、回線Ｂを介して後述する端末Ｂから変調信号Ｂが入力される。アナログ復調手段４は、前記変調信号Ｂを復調して、得られた音声信号を出力音声Ａとして出力する。音声重畳手段５では、前記入力音声Ａと出力音声Ａを重畳した重畳音声を生成し、これをアナログ変調手段６に入力する。アナログ変調手段６は、入力された重畳音声を変調して、得られた変調信号を変調信号Ａとして、回線Ａに出力する。
【０００８】
端末Ｂには、話者Ｂが発声した音声が入力音声Ｂとして入力される。また、回線Ａを介して、端末Ａから変調信号Ａが入力される。アナログ変調手段７は、前記入力音声Ｂを変調して、得られた変調信号を変調信号Ｂとして、回線Ｂに出力する。アナログ復調手段８は、前記変調信号Ａを復調して、得られた音声信号を出力音声Ｂとして出力する。
端末Ｃには、回線Ａを介して、端末Ａから変調信号Ａが入力される。アナログ復調手段９は、前記変調信号Ａを復調して、得られた音声信号を出力音声Ｃとして出力する。
【０００９】
上記の通り構成することによって、話者Ａと話者Ｂが各々端末Ａと端末Ｂを用いて通話を行っている時に、端末Ｃにおいて話者Ａと話者Ｂの通話を傍受することが可能となっている。
【００１０】
図４は、上記従来の音声通信システムにおいて、データ通信の導入など回線利用効率の改善、誤り訂正符号との組み合わせによる無線通信における電波の弱い地域での品質改善、暗号との組み合わせによる秘匿性の確保などのために、システムのディジタル化を図った別な構成を示す図である。
図において、１は話者Ａが使用する端末Ａ、２は話者Ｂが使用する端末Ｂ、３は関連する他のメンバーがモニターする場合などに用いられる端末Ｃである。
【００１１】
端末Ａには端末Ｂからの変調信号Ｂを復調する復調手段１２、復調手段１２で得られた音声符号Ｂを復号化する音声復号化手段１３、音声復号化手段１３の出力をディジタル・アナログ変換（Ｄ−Ａ変換）しアナログ信号である出力音声Ａを出力するＤ−Ａ変換手段１４、話者Ａが発声した入力音声Ａと前記Ｄ−Ａ変換手段１４の出力音声Ａを重畳する音声重畳手段１５、重畳音声をアナログ・ディジタル変換（Ａ−Ｄ変換）するＡ−Ｄ変換手段１６、Ａ−Ｄ変換手段１６の出力を符号化する音声符号化手段１７、音声符号化手段１７の出力をディジタル変調し、回線Ａ１０に出力する変調手段１８を備えている。
【００１２】
端末Ｂには回線Ａからの変調信号Ａを復調する復調手段２０、復調手段２０の出力を復号化する音声復号化手段２１、音声復号化手段２１の出力をディジタル・アナログ変換（Ｄ−Ａ変換）しアナログ信号である出力音声Ｂを出力するＤ−Ａ変換手段２２を備えている。
【００１３】
さらに、端末Ｂは話者Ｂが発声した入力音声Ｂをアナログ・ディジタル変換（Ａ−Ｄ変換）するＡ−Ｄ変換手段２３、Ａ−Ｄ変換手段２３の出力を符号化する音声符号化手段２４、音声符号化手段２４の出力をディジタル変調し、回線Ｂ１１に出力する変調手段２５を備えている。
【００１４】
端末Ｃには回線Ａからの変調信号Ａを復調する復調手段２６、復調手段２６の出力を復号化する音声復号化手段２７、音声復号化手段２７の出力をディジタル・アナログ変換（Ｄ−Ａ変換）しアナログ信号である出力音声Ｂを出力するＤ−Ａ変換手段２８を備えている。
次に、この従来の別な音声通信システムの動作について説明する。
【００１５】
端末Ａには、話者Ａが発声した音声が入力音声Ａとして入力され、また、回線Ｂを介して後述する端末Ｂから変調信号Ｂが入力される。復調手段１２は、前記変調信号Ｂを復調して、得られた音声符号Ｂを音声復号化手段１３に出力する。音声復号化手段１３は、前記音声符号Ｂを復号化し、得られたディジタル出力音声ＡをＤ−Ａ変換手段１４に出力する。Ｄ−Ａ変換手段１４は、前記ディジタル出力音声Ａに対してディジタル・アナログ変換（Ｄ−Ａ変換）を行ってアナログ信号である出力音声Ａを出力する。
【００１６】
また、端末Ａ内では、前記入力音声Ａと出力音声Ａを重畳した重畳音声を音声重畳手段１５で生成し、これをＡ−Ｄ変換手段１６に入力する。Ａ−Ｄ変換手段１６は、入力された重畳音声に対してアナログ・ディジタル変換（Ａ−Ｄ変換）を行ってディジタル信号であるディジタル入力音声Ａを得る。音声符号化手段１７は、前記ディジタル入力音声Ａを符号化して、得られた音声符号Ａを変調手段１８に出力する。変調手段１８は、入力された音声符号Ａをディジタル変調して、得られた変調信号を変調信号Ａとして、回線Ａに出力する。
【００１７】
端末Ｂには、話者Ｂが発声した音声が入力音声Ｂとして入力される。また、回線Ａを介して、端末Ａから変調信号Ａが入力される。Ａ−Ｄ変換手段２３は、前記入力音声Ｂに対してアナログ・ディジタル変換（Ａ−Ｄ変換）を行ってディジタル信号であるディジタル入力音声Ｂを得る。音声符号化手段２４は、前記ディジタル入力音声Ｂを符号化して、得られた音声符号Ｂを変調手段２５に出力する。変調手段２５は、入力された音声符号Ａをディジタル変調して、得られた変調信号を変調信号Ｂとして、回線Ｂに出力する。
【００１８】
端末Ｂ内の復調手段２０は、前記変調信号Ａを復調して、得られた音声符号Ａを音声復号化手段２１に出力する。音声復号化手段２１は、前記音声符号Ａを復号化し、得られたディジタル出力音声ＢをＤ−Ａ変換手段２２に出力する。Ｄ−Ａ変換手段２２は、前記ディジタル出力音声Ｂに対してディジタル・アナログ変換（Ｄ−Ａ変換）を行ってアナログ信号である出力音声Ｂを出力する。
【００１９】
端末Ｃには、回線Ａを介して、端末Ａから変調信号Ａが入力される。復調手段２６は、前記変調信号Ａを復調して、得られた音声符号Ａを音声復号化手段２７に出力する。音声復号化手段２７は、前記音声符号Ａを復号化し、得られたディジタル出力音声ＣをＤ−Ａ変換手段２８に出力する。Ｄ−Ａ変換手段２８は、前記ディジタル出力音声Ｃに対してディジタル・アナログ変換（Ｄ−Ａ変換）を行ってアナログ信号である出力音声Ｃを出力する。
【００２０】
【発明が解決しようとする課題】
上記のディジタル化を行った従来の音声通信システムには、以下に述べる課題がある。
全ての端末で話者Ａと話者Ｂの音声を聞くことができる構成となっているが、話者Ｂが発声した入力音声Ｂが端末Ａを経由して端末Ｂおよび端末Ｃから出力されるまでに、音声符号化手段２４および１７と２回の音声符号化を経るため、品質が大きく劣化してしまう課題が有る。
【００２１】
ディジタル化によって回線利用効率を改善しようとする場合、音声符号化におけるビットレートを低く設定するため、１回当たりの音声符号化による品質劣化が大きくなり、２回符号化を行うと非常に聞き苦しい音質に劣化してしまう課題が有る。
【００２２】
また、低ビットレートの音声符号化および音声復号化は、１０〜４０ｍｓ程度の所定時間フレーム単位に処理を行うものが多い。入力音声Ｂが端末Ａを介して端末Ｂに戻り、出力音声Ｂに含まれて出力されるまでには、通常このフレームの６倍以上、つまり数百ｍｓの遅延時間が生じることになる。
【００２３】
このため、話者Ｂは、品質が大きく劣化した上に数百ｍｓ遅延した自分の声を振幅の大きいエコーとして聞きながら話をしなければならず、極めて通話が困難になってしまう課題が有る。なお、５００ｍｓ程度の遅延を与えた自分の声を聞きながら話をすることは非常に難しく、多くの話者が通話をすることを停止してしまうことが知られている。
【００２４】
更に、通常の双方向の通話においては、しばしば話者Ａと話者Ｂが同時に音声を発した状態、いわゆるダブルトークになることがあるが、低ビットレートの音声符号化方式は、単独の音声発声に対するモデルを用いて効率的な情報圧縮を行っているために、ダブルトーク時には端末Ａ内の音声符号化手段１７における符号化品質が劣悪となり、ひどい場合には両方の話者が話している内容を聞き取ることができなくなってしまう課題が有る。
【００２５】
この発明は、かかる課題を解決するためになされたものであり、複数の端末間で回線を共有して、２つの端末間の通話を他の端末でも傍受することが可能なディジタル化した音声通信システムにおいて、２回の符号化によって大きく品質が劣化すること、大きく遅延したエコーによって通話が困難となること、ダブルトーク音声を符号化して大きく品質を劣化させてしまうことを同時に回避することを目的としている。
【００２６】
【課題を解決するため手段】
この発明に係る音声通信システムは、２つの端末間での双方向通話を他の端末で傍受可能な音声通信システムにおいて、
双方向通話の一方の端末は、自端末の入力音声を符号化する音声符号化手段と、自端末入力音声符号と回線から入力する双方向通話の他方の端末からの音声符号の何れか一方を一定時間のフレーム毎に選択して回線に伝送する選択手段を備え、
双方向通話の他方の端末は、自端末の入力音声を符号化し、回線に伝送する音声符号化手段と、過去の自端末の入力音声符号を所定フレーム分記憶する記憶手段と、回線から入力した音声符号と、記憶手段の音声符号の内の少なくとも一つとの比較を行い、所定条件を満足するか否かを判定する判定手段と、この比較結果が所定条件を満足するとき、回線から入力した音声符号を復号化する音声復号化手段を備え、
傍受端末は、回線から入力した音声符号を復号する音声復号化手段を備えたものである。
【００２７】
この発明に係る他の音声通信システムは、前記双方向通話の一方の端末に設けられた選択手段が、自端末入力音声と、他端末音声符号を復号して得られた出力の振幅を比較し、振幅が大きい方の音声符号を選択する構成にしたものである。
【００２８】
【発明の実施の形態】
以下図面を参照しながら、この発明の実施の形態について説明する。
【００２９】
実施の形態１．
図１は、この発明による音声通信システムの構成を示す。図において、１は話者Ａが使用する端末Ａ、２は話者Ｂが使用する端末Ｂ、３は関連する他のメンバーがモニターする場合などに用いられる端末Ｃ、１０は回線Ａ、１１は回線Ｂである。
端末Ａにおいて、１２は復調手段、１３は音声復号化手段、１４はＤ−Ａ変換手段、１６はＡ−Ｄ変換手段、１７は音声符号化手段、１８は変調手段でこれ等は図４に示す従来の音声通信システムと同様なものである。
【００３０】
３０は音声符号化手段１７と復調手段１２の出力の内の一方を所定の選択基準に従って選択し、変調手段１８に出力する選択手段であり、図４に示す従来の音声通信システムにおける音声重畳手段１５の代わりに設けられたものである。
【００３１】
端末Ｂにおいて、２０は復調手段、２１は音声復号化手段、２２はＤ−Ａ変換手段、２３はＡ−Ｄ変換手段、２４は音声符号化手段、２５は変調手段でこれ等は図４に示す従来の音声通信システムと同様なものである。
【００３２】
３１は音声符号化手段２４から入力された音声符号ＢをＮフレーム分格納できるメモリを持つ記憶手段、３２は復調手段２０からの音声符号Ａ’と、記憶手段３１の音声符号Ｂを比較し、一致するものがある場合は、音声復号化手段２１の動作を停止させる判定手段である。これ等は図４に示す従来の音声通信システムの端末Ｂに比し追加して設けられている。
【００３３】
端末Ｃには図４に示す従来の音声通信システムと同様に復調手段２６、音声復号化手段２７、Ｄ−Ａ変換手段２８を備えている。
【００３４】
以下、図に基づいて動作を説明する。
端末Ａには、話者Ａが発声した音声が入力音声Ａとして入力される。また、回線Ｂを介して後述する端末Ｂから変調信号Ｂが入力される。復調手段１２は、前記変調信号Ｂを復調して、得られた音声符号Ｂを音声復号化手段１３と選択手段３０に出力する。
【００３５】
音声復号化手段１３は、前記音声符号Ｂを復号化し、得られたディジタル出力音声ＡをＤ−Ａ変換手段１４に出力する。Ｄ−Ａ変換手段１４は、前記ディジタル出力音声Ａに対してディジタル・アナログ変換（Ｄ−Ａ変換）を行ってアナログ信号である出力音声Ａを出力する。
【００３６】
Ａ−Ｄ変換手段１６は、前記話者Ａが発声した入力音声Ａに対してアナログ・ディジタル変換（Ａ−Ｄ変換）を行ってディジタル信号であるディジタル入力音声Ａを得る。音声符号化手段１７は、前記ディジタル入力音声Ａを符号化して、得られた音声符号Ａを選択手段３０に出力する。選択手段３０は、入力された音声符号Ａと音声符号Ｂの内の一方を所定の選択基準に従って選択し、選択した音声符号を音声符号Ａ’として変調手段１８に出力する。
【００３７】
選択基準の一例としては、音声符号Ａと音声符号Ｂを実際に復号して、得られた２つの復号音声の振幅を比較して、その値の大きい方を選択する方法がある。そして、変調手段１８は、選択手段３０から入力された音声符号Ａ’をディジタル変調して、得られた変調信号を変調信号Ａとして、回線Ａ１０に出力する。
【００３８】
端末Ｂには、話者Ｂが発声した音声が入力音声Ｂとして入力される。また、回線Ａを介して、端末Ａから変調信号Ａが入力される。Ａ−Ｄ変換手段２３は、前記入力音声Ｂに対してアナログ・ディジタル変換（Ａ−Ｄ変換）を行ってディジタル信号であるディジタル入力音声Ｂを得る。音声符号化手段２４は、前記ディジタル入力音声Ｂを符号化して、得られた音声符号Ｂを変調手段２５と記憶手段３１に出力する。変調手段２５は、入力された音声符号Ｂをディジタル変調して、得られた変調信号を変調信号Ｂとして、回線Ｂに出力する。
【００３９】
端末Ｂ内の復調手段２０は、前記変調信号Ａを復調して、得られた音声符号Ａ’を判定手段３２に出力する。記憶手段３１は、その内部に音声符号化手段９から入力された音声符号ＢをＮフレーム分記憶してあり、その一部もしくは全部を判定手段３２に対して出力する。
【００４０】
なお、記憶手段３１内には音声符号ＢをＮ格納できるメモリが存在し、判定手段３２への音声符号の出力を行った後で、Ｎフレーム前の音声符号Ｂが格納されている所に現在のフレームの音声符号Ｂを上書きすることで記憶内容の更新を行う。なおＮフレーム分の音声符号Ｂを記憶しておくことができるのであれば、記憶手段３１内の構成および更新方法はこれに限られるものではない。
【００４１】
ここで、Ｎフレーム分の記憶を行うのは、音声信号が端末Ａを介して端末Ｂに戻ってくるまでの遅延を吸収するためである。よってＮの値は、想定される遅延フレーム数以上に設定する必要がある。遅延フレーム数が分かっていれば、その値をそのままＮに設定し、記憶手段３１はＮフレーム前の音声符号Ｂを１つだけ出力すればよい。遅延フレーム数が特定できない場合には、考えられる遅延フレーム数の範囲分だけ過去の音声符号Ｂを複数出力すればよい。
【００４２】
判定手段３２は、復調手段２０から入力された音声符号Ａ’と、記憶手段３１から入力された１つ以上の音声符号Ｂとを比較し、一致しているものがある場合には、音声符号Ｂが端末Ａを介して端末Ｂに戻ってきていると判定し、音声符号Ａ’の音声復号化手段２１への出力を行わない。また、一致しているものがない場合には、復調手段２０から入力された音声符号Ａ’をそのまま音声復号化手段２１に対して出力する。
【００４３】
音声復号化手段２１は音声符号Ａ’が入力された場合に、これを復号化し、得られたディジタル出力音声ＢをＤ−Ａ変換手段２２に出力する。Ｄ−Ａ変換手段２２は、前記ディジタル出力音声Ｂに対してディジタル・アナログ変換（Ｄ−Ａ変換）を行ってアナログ信号である出力音声Ｂを出力する。
【００４４】
端末Ｃには、回線Ａを介して、端末Ａから変調信号Ａが入力される。復調手段２６は、前記変調信号Ａを復調して、得られた音声符号Ａ’を音声復号化手段２７に出力する。音声復号化手段２７は、前記音声符号Ａ’を復号化し、得られたディジタル出力音声ＣをＤ−Ａ変換手段２８に出力する。Ｄ−Ａ変換手段２８は、前記ディジタル出力音声Ｃに対してディジタル・アナログ変換（Ｄ−Ａ変換）を行ってアナログ信号である出力音声Ｃを出力する。
【００４５】
なお、上記実施の形態では、通信路として無線回線やアナログモデム伝送回線等を使う場合の構成について説明したが、ＡＴＭなどの他の種類の回線を使う構成も可能である。その時には、変調手段、復調手段の構成が回線の種類に応じて変更される。
また、端末Ｂおよび端末Ｃと同じ構成の端末を複数備える構成も可能である。
【００４６】
また、この音声通信システムにおいては、通常は端末Ｃも端末Ｂと同じ構成にしておき、端末Ａと端末Ｃとで通話を行い、端末Ｂで傍受可能とする。この場合は端末Ｂ内の記憶手段には何も格納されていないので、端末Ａと端末Ｃの通話が出力音声Ｂとして再生される。
【００４７】
この実施の形態１によれば、端末Ｂから入力された音声符号Ｂを復号して出力するとともに、話者Ａによる入力音声を符号化して音声符号Ａとし、一定時間のフレーム毎にこの音声符号Ａと音声符号Ｂの一方を選択して出力する端末Ａと、話者Ｂによる入力音声を符号化して得られる音声符号Ｂを出力するとともに、過去の音声符号Ｂを所定フレーム分記憶しておき、端末Ａから入力した音声符号と、この記憶してある複数の音声符号Ｂの内の少なくとも一つとの比較を行って、この比較結果によって音声符号Ｂが折り返して戻ってきていないと判断したフレームにて、端末Ａから入力した音声符号を復号して出力する端末Ｂと、端末Ａから入力された音声符号を復号して出力する端末Ｃとを備えるようにしたので、複数の端末間で２つの回線を共有して、２つの端末間の通話を他の端末でも傍受することが可能なディジタル化した音声通信システムにおいて、２回の符号化による大きな品質劣化を回避でき、大きく遅延したエコーによって通話が困難となることを回避することができる効果が有る。
【００４８】
更に、話者Ａまたは話者Ｂによる入力音声を符号化した音声符号のみを復号するので、ダブルトーク音声の符号化によって大きく品質を劣化させてしまうことを回避できる効果がある。
【００４９】
実施の形態２．
図２は、この発明による音声通信システムの端末Ａの別の構成を示す。図において、図１と同一符号は同一または相当部分を示し、説明を省略する。３０は選択手段で、Ａ−Ｄ変換手段１６の出力と音声復号化手段１３の出力を比較する比較手段３３と、比較手段３３の結果により変調手段１８への出力を音声符号化手段１７の出力または復調手段１２の出力に切換える切換手段３４で構成される。
【００５０】
以下、図に基づいて動作を説明する。
端末Ａには、話者Ａが発声した音声が入力音声Ａとして入力される。また、回線Ｂを介して後述する端末Ｂから変調信号Ｂが入力される。復調手段１２は、前記変調信号Ｂを復調して、得られた音声符号Ｂを音声復号化手段１３と選択手段３０内の切換手段３４に出力する。音声復号化手段１３は、前記音声符号Ｂを復号化し、得られたディジタル出力音声ＡをＤ−Ａ変換手段１４と選択手段３０内の比較手段３３に出力する。Ｄ−Ａ変換手段１４は、前記ディジタル出力音声Ａに対してディジタル・アナログ変換（Ｄ−Ａ変換）を行ってアナログ信号である出力音声Ａを出力する。
【００５１】
Ａ−Ｄ変換手段１６は、前記入力音声Ａに対してアナログ・ディジタル変換（Ａ−Ｄ変換）を行ってディジタル信号であるディジタル入力音声Ａを得て、このディジタル入力音声Ａを音声符号化手段１７と選択手段３０内の比較手段３３に出力する。音声符号化手段１７は、前記ディジタル入力音声Ａを符号化して、得られた音声符号Ａを選択手段３０内の切換手段３４に出力する。
【００５２】
選択手段３０内の比較手段３３は、入力されたディジタル入力音声Ａとディジタル出力音声Ａのフレーム内の平均振幅を比較し、どちらが大きいかに関する情報を切換手段３４に出力する。切換手段３４は、前記情報がディジタル入力音声Ａの平均振幅の方が大きいことを示している時には、音声符号化手段１７から入力した音声符号Ａの方にスイッチを切り換えて、これを音声符号Ａ’として変調手段４に対して出力する。逆に前記情報がディジタル出力音声Ａの平均振幅の方が大きいことを示している時には、復調手段１２から入力した音声符号Ｂの方にスイッチを切り換えて、これを音声符号Ａ’として変調手段１８に対して出力する。
【００５３】
そして、変調手段１８は、選択手段３４から入力された音声符号Ａ’をディジタル変調して、得られた変調信号を変調信号Ａとして、回線Ａに出力する。
【００５４】
この実施の形態２によれば、前記端末Ａにおいて、話者Ａによる入力音声と、音声符号Ｂを復号して得られた出力の振幅を比較し、振幅が大きい方の音声符号を選択するようにしたので、実施の形態１が持つ効果に加えて、符号選択専用としては複雑な処理が不要とできる効果がある。
【００５５】
【発明の効果】
以上のようにこの発明によれば、２つの端末間での双方向通話を他の端末で傍受可能な音声通信システムにおいて、
双方向通話の一方の端末は、自端末の入力音声を符号化する音声符号化手段と、自端末入力音声符号と回線から入力する双方向通話の他方の端末からの音声符号の何れか一方を一定時間のフレーム毎に選択して回線に伝送する選択手段を備え、
双方向通話の他方の端末は、自端末の入力音声を符号化し、回線に伝送する音声符号化手段と、過去の自端末の入力音声符号を所定フレーム分記憶する記憶手段と、回線から入力した音声符号と、記憶手段の音声符号の内の少なくとも一つとの比較を行い、所定条件を満足するか否かを判定する判定手段と、この比較結果が所定条件を満足するとき、回線から入力した音声符号を復号化する音声復号化手段を備え、
傍受端末は、回線から入力した音声符号を復号する音声復号化手段を備えることにより、２回の符号化による大きな品質劣化を回避でき、大きく遅延したエコーによって通話が困難となること、ダブルトーク音声の符号化によって大きく品質を劣化させてしまうことを回避することができる効果が有る。
【００５６】
選択手段は話者Ａの入力音声と、話者Ｂの音声符号を復号して得られた出力の振幅を比較し、振幅が大きい方の音声符号を選択する構成にしたので、符号選択専用としては複雑な処理が不要とできる効果がある。
【図面の簡単な説明】
【図１】  この発明による実施の形態１の音声通信システムの構成を示す図。
【図２】  この発明による実施の形態２の端末Ａの構成を示す図。
【図３】  従来の音声通信システムの全体構成を示す図。
【図４】  従来の別な音声通信システムの全体構成を示す図。
【符号の説明】
１：端末Ａ、２：端末Ｂ、３：端末Ｃ、４：アナログ復調手段、５：音声重畳手段、６：アナログ変調手段、７：アナログ変調手段、８：アナログ復調手段、９：アナログ復調手段、１０：回線Ａ、１１：回線Ｂ、１２，２０，２６：復調手段、１３，２１，２７：音声復号化手段、１４，２２，２８：Ｄ−Ａ変換手段、１５：音声重畳手段、１６，２３：Ａ−Ｄ変換手段、１７，２４：音声符号化手段、１８、２５：変調手段、３０：選択手段、３１：記憶手段、３２：判定手段、３３：比較手段、３４：切換手段。
【図１】
0003764339.tif 000002
【図２】
0003764339.tif 000003
【図３】
0003764339.tif 000004
【図４】
0003764339.tif 000005